(57)【要約】      （修正有）【課題】保管が容易で、しかも長期保管しても構成品を見失うことのないようにした蔓作物の支柱を提供する。【解決手段】蔓作物の支柱は、相互に所定の間隔をあけて地面に差し込まれて立設され、蔓作物３０の支柱として機能する少なくとも２本の棒状体１１と、少なくとも２本の棒状体１１の間に上下に間隔をあけて設けられ、両端が棒状体１１に固定され、蔓作物３０の蔓３１が絡む枝として機能する複数の横杆１２と、を備える。棒状体１１及び横杆１２は蔓作物３０を這わすネット２０の機能を奏する。【選択図】図２
0003228863.tif 000002
【実用新案登録請求の範囲】
【請求項１】
相互に所定の間隔をあけて地面に差し込まれて立設され、蔓作物（３０）の支柱として機能する少なくとも２本の棒状体（１１）と、
該少なくとも２本の棒状体（１１）の間に上下に間隔をあけて設けられ、両端が上記棒状体（１１）に固定され、蔓作物（３０）及びその蔓（３１）が絡む枝として機能する複数の横杆（１２）と、
を備えたことを特徴とする蔓作物の支柱。
【請求項２】
上記横杆（１２）がＸ状にレイアウトされて両端が上記棒状体（１１）に固定されている請求項１記載の蔓作物の支柱。
【考案の詳細な説明】
【技術分野】
【０００１】
本考案は蔓作物の支柱に関し、特に保管が容易で、しかも長期保管しても構成品を見失うことのないようにした蔓作物の支柱に関する。
【背景技術】
【０００２】
キュウリ、トマト、茄子などの蔓作物は栽培床に支柱を立ててそれに蔓を絡ませて栽培することが行われる。
【０００３】
従来、蔓作物の支柱には合成樹脂製の棒が使用されており、又竹や笹を支柱に使用することも行われていた。
【０００４】
しかし、合成樹脂製の棒を支柱に用いる場合、蔓を絡ませることが難しいことがあり、蔓作物を広い面積にわたって十分に育成できないことがあった。
【０００５】
他方、竹や笹の場合には竹や笹の枝が邪魔になって枝を払って使用することがあり、煩わしい。
【０００６】
これに対し、支柱に差込み穴を形成し、差込み穴に枝部材を抜差し可能に差し込み、枝部材を適切な長さにするようにした蔓作物の支柱が提案されている（特許文献１）。
【先行技術文献】
【特許文献】
【０００７】
【特許文献１】実開平０３−５６３４３号公報
【考案の開示】
【考案が解決しようとする課題】
【０００８】
しかし、特許文献１記載の蔓作物の支柱では枝部材を抜差し可能としているので、蔓作物の栽培が終わって支柱を保管し、次の栽培時期に支柱を取り出したときに枝部材を見失ってしまうおそれがあった。
【０００９】
本考案はかかる問題点に鑑み、保管が容易で、しかも長期保管しても構成品を見失うことのないようにした蔓作物の支柱を提供することを課題とする。
【課題を解決するための手段】
【００１０】
そこで、本考案に係る蔓作物の支柱は、相互に所定の間隔をあけて地面に差し込まれて立設され、蔓作物の支柱として機能する少なくとも２本の棒状体と、該少なくとも２本の棒状体の間に上下に間隔をあけて設けられ、両端が棒状体に固定され、蔓作物の蔓が絡む枝として機能する複数の横杆と、を備えたことを特徴とする。
【００１１】
本考案の特徴の１つは少なくとも２本の棒状体の間に複数の横杆を上下に間隔をあけて固定し、蔓を絡ませるようにした点にある。
【００１２】
これにより、蔓作物を広い面積にわたって支柱や枝に絡ませて十分に育成することができる。また、竹や笹の場合のように枝が邪魔になって枝を払う煩わしさもない。
【００１３】
さらに、横杆の両端を棒状体に固定しているので、蔓作物の栽培が終わって支柱を保管し、次の栽培時期に支柱を取り出したときに構成品（横杆）を見失うこともない。
【００１４】
また、横杆を固定した棒状体を重ねて保管することができ、保管に大きなスペースを必要とせず、保管も容易である。
【００１５】
ここで、棒状体は少なくとも２本であればよく、２本の棒状体の間に横杆を上下に間隔をあけて並べて固定してもよく、３本の棒状体を平面状に並べて各２本の棒状体の間に横杆を上下に並べて固定してもよく、さらには３本の棒状体を三角形の頂点の位置にレイアウトし、隣接する各２本の棒状体の間に横杆を上下に並べて固定してもよい。勿論、４本、５本の棒状体を平面状に並べて各２本の棒状体の間に横杆を上下に並べて固定してもよい。
【００１６】
横杆は下記の実施形態に示すように、傾斜させて設けるようにしてもよいが、水平に設けるようにしてもよい。
【００１７】
横杆の両端は接着剤で棒状体に固定してもよく、締結バンドで棒状体に固定するようにしてもよく、さらには金属部材、例えばねじや固定ピンで固定するようにしてもよい。
【００１８】
また、棒状体及び横杆は従来のネットの機能を奏するので、ネットを用いなくても十分に広い面積に蔓作物を這わすことができる。
【図面の簡単な説明】
【００１９】
【図１】本考案に係る蔓作物の支柱の好ましい実施形態を示す図である。
【図２】上記実施形態の使用例を示す図である。
【考案を実施するための形態】
【００２０】
以下、本考案を図面に示す具体例に基づいて詳細に説明する。図１ないし図２は本考案に係る蔓作物の支柱の好ましい実施形態を示す。図において、蔓作物の支柱１０は２本の棒状体１１と複数の横杆１２から構成されている。
【００２１】
棒状体１１は合成樹脂材料を用いて製作され、所定間隔をあけて節が形成されることによって例えば長さ１８０ｃｍの竹を模した形状となっている。
【００２２】
他方、横杆１２は合成樹脂材料を用いて製作され、棒状体１１に比較して細径の細棒状となっている。この横杆１２は例えば３０ｃｍの間隔をあけた２本の棒状体１１の間に傾斜して、具体的には２本の横杆１２がＸ状をなすように配置され、２本の横杆１２の両端は結束バンドなどの締結部材によって棒状体１１に固定されている。
【００２３】
本例の蔓作物の支柱１０を使用する場合、図２に示されるように、中間に蔓作物、例えばキュウリ３０が位置するように２本の棒状体１１を畑の畝に突き刺して立て、同様に複数対の棒状体１１を立てた後、２本の棒状体１１の中間に蔓作物３０を植えると、蔓作物３０が棒状体１１及び横杆１２を這って育ち、その蔓３１が横杆１２に絡みつき、大きく育てることができる。
【００２４】
蔓作物の収穫で済むと、２本の棒状体１１を重ねると、全体的にコンパクトになるので、そのまま倉庫などに保管することができる。
【００２５】
以上のように、２本の棒状体１１の間に複数の横杆１２を上下に間隔をあけて固定し、蔓３１を絡ませるようにしたので、蔓作物３０を広い面積にわたって棒状体１１及び横杆１２に絡ませて十分に育成することができ、竹や笹の場合のように枝が邪魔になって枝を払う煩わしさもない。
【００２６】
また、従来は立設した支柱に蔓作物、例えばキュウリ３０を這わすネット２０を掛け渡していたが、本例の場合には棒状体１１及び横杆１２は従来のネット２０の機能を奏するので、ネット２０を用いなくても十分に広い面積にキュウリ３０を這わすことができることとなる。
【００２７】
さらに、横杆１２の両端を棒状体１１に固定しているので、蔓作物の栽培が終わって支柱を保管し、次の栽培時期に支柱を取り出したときに横杆１２を見失うこともない。
【００２８】
なお、上記では横杆１２をＸ状にしたが、単に傾斜させてもよく、又上下に間隔をあけせて水平に並べてもよい。
【符号の説明】
【００２９】
１０      蔓作物の支柱
１１      棒状体
１２      横杆
２０      ネット
３０      蔓作物
３１      蔓
【図１】
0003228863.tif 000003
【図２】
0003228863.tif 000004